【事件の表示】
　特願２０１０−　６３９６５「ハニカム構造体およびハニカム構造体の製造方法」拒絶査定不服審判事件〔平成２３年１０月　６日出願公開、特開２０１１−１９４３２０、請求項の数（１２）〕について、次のとおり審決する。
【結　論】
　原査定を取り消す。
　本願の発明は、特許すべきものとする。
【理　由】
第１　手続の経緯 
　本願は、平成２２年３月１９日の出願であって、平成２５年６月１２日付けで拒絶理由が通知され、同年８月５日付けで意見書及び手続補正書が提出され、同年８月１６日付けで拒絶査定がなされ、同年１１月１３日付けで拒絶査定不服審判の請求がなされるとともに手続補正書が提出され、平成２６年１月７日付けで特許法第１６４条第３項に基づく報告を利用した審尋がなされ、これに対する回答書が同年３月６日に提出されたものである。
　
第２　平成２５年１１月１３日付け手続補正についての補正却下の決定
［補正却下の決定の結論］ 
　平成２５年１１月１３日付け手続補正を却下する。 
［理由］ 
　平成２５年１１月１３日付け手続補正（以下、「本件補正」という。）は、以下のように補正前の請求項１−１２を補正後の請求項１−１０に補正することを含むものである。
　なお、下線部は、補正の前後で対応する箇所、または、補正された箇所を示し、当審で付与した。
　
＜補正前＞
　　【請求項１】
　多孔質の隔壁と、前記隔壁によって区画形成されて第１端面から第２端面への軸方向に通じる流体の流路となる複数のセルと、各々の前記セルの前記第１端面の側または前記第２端面の側の少なくともいずれかを目封止する目封止部とを有するハニカム構造体であって、
　前記第２端面の側に前記目封止部を設けられている前記セルの一部または全部において前記セルの前記軸方向での中間部分に設けられて、前記セル内に前記第１端面から前記第２端面の方向へ前記流体を流すときに前記第２端面の方向に向かう前記流体の流れに抵抗を与えつつ前記第２端面の側に前記流体の一部を通過させるセラミックスを主成分とする抵抗部を備えるハニカム構造体。
　　【請求項２】
　
前記抵抗部は、前記流体の流路となる貫通孔が設けられている
　　【請求項３】
　
前記貫通孔は、前記第１端面の側からの前記第２端面側に向かって連続的または断続的に減少する流路断面積を有する
　　【請求項４】
　
前記抵抗部は、多数の細孔を有する多孔質体からなり、前記細孔が前記セルにおける前記抵抗部を設けられている箇所での前記流体の流路となる
　　【請求項５】
　
前記抵抗部は、前記軸方向における厚さが１〜３ｍｍの壁状の構造を有する
　　【請求項６】
　前記抵抗部が設けられている各々の前記セルにおいて、前記セルを区画形成する前記隔壁の気孔率が、前記抵抗部を境に前記第１端面の側と前記第２端面の側とで異なる請求項１〜５のいずれか一項に記載のハニカム構造体。
　　【請求項７】
　前記軸方法に垂直な断面において、隣接する前記セルの間で断面積が異なっている請求項１〜６のいずれか一項に記載のハニカム構造体。
　　【請求項８】
　前記セルの前記第１端面の側を目封止する前記目封止部が、前記第１端面に露出せず前記セルの内部に設けられている請求項１〜７のいずれか一項に記載のハニカム構造体。
　　【請求項９】
　共に多孔質の隔壁と前記隔壁によって区画形成されて一方の端面から他方の端面に向かう軸方向に通じて流体の流路となる複数のセルとを有する第１のハニカム構造体および第２のハニカム構造体の前記端面同士を合わせて一体化して、接合ハニカム構造体を形成するハニカム構造体の製造方法であって、
　前記第１のハニカム構造体の前記端面のいずれか１つの前記端面における一部または全部の前記セルの端部に、前記流体の前記流路の流路断面積を小さくするセラミックスを主成分とする抵抗部を設ける抵抗部配設工程と、
　前記第１のハニカム構造体の前記抵抗部を設けた側の前記端面と、前記第２のハニカム構造体の前記端面とを合わせて互いの前記セルを連通させて、前記軸方向における中間部分に前記抵抗部を備える前記セルを有する前記接合ハニカム構造体を形成する接合工程と、
　前記接合ハニカム構造体における各々の前記セルが前記軸方向で少なくともいずれか一方の端部の側を目封止されるように、前記第１のハニカム構造体および前記第２のハニカム構造体の前記セルに目封止部を設ける目封止工程と、を有するハニカム構造体の製造方法。
　　【請求項１０】
　前記抵抗部配設工程は、前記第１のハニカム構造体のいずれか１つの前記端面に一部または全部の前記セルの開口に対応するように開口したマスクを設け、そのマスクの上またはマスクの表面上と同一平面上に前記抵抗部材料を供給し、前記マスクの表面上にて、その表面に対して鋭角に配置されて前記抵抗部材料を加圧するための加圧面を有する加圧部材を移動させることにより、前記加圧面にて前記抵抗部材料を加圧して前記端面における前記セルの端部に前記抵抗部材料を充填し、次いで前記セルの端部に充填されている前記抵抗部材料が流動性を有する間に、前記抵抗部材料が充填されている前記セル内を陽圧または陰圧にして、前記セルの端部に充填されている前記抵抗部材料に前記セルの内部と前記セルの外部とを通じさせる貫通孔を形成する工程を有する請求項９に記載のハニカム構造体の製造方法。
　　【請求項１１】
　抵抗部配設工程は、前記セルの端部に前記抵抗部材料を充填してから所定時間を経過後に、前記抵抗部材料が充填されている前記セル内を陰圧にして前記貫通孔を形成する請求項１０に記載のハニカム構造体の製造方法。
　　【請求項１２】
　前記第１のハニカム構造体と前記第２のハニカム構造体とは、前記隔壁の気孔率が異なる請求項９〜１１のいずれか一項に記載のハニカム構造体の製造方法。
　
＜補正後＞
　　【請求項１】
　多孔質の隔壁と、前記隔壁によって区画形成されて第１端面から第２端面への軸方向に通じる流体の流路となる複数のセルと、各々の前記セルの前記第１端面の側または前記第２端面の側の少なくともいずれかを目封止する目封止部とを有するハニカム構造体であって、
　前記第２端面の側に前記目封止部を設けられている前記セルの一部または全部において前記セルの前記軸方向での中間部分に設けられて、前記セル内に前記第１端面から前記第２端面の方向へ前記流体を流すときに前記第２端面の方向に向かう前記流体の流れに抵抗を与えつつ前記第２端面の側に前記流体の一部を通過させるセラミックスを主成分とする抵抗部を備え、
　
前記抵抗部は、前記流体の流路となる貫通孔が設けられており、　前記貫通孔は、前記第１端面の側から前記第２端面側に向かって連続的または断続的に減少する流路断面積を有する
　　【請求項２】
　多孔質の隔壁と、前記隔壁によって区画形成されて第１端面から第２端面への軸方向に通じる流体の流路となる複数のセルと、各々の前記セルの前記第１端面の側または前記第２端面の側の少なくともいずれかを目封止する目封止部とを有するハニカム構造体であって、
　前記第２端面の側に前記目封止部を設けられている前記セルの一部または全部において前記セルの前記軸方向での中間部分に設けられて、前記セル内に前記第１端面から前記第２端面の方向へ前記流体を流すときに前記第２端面の方向に向かう前記流体の流れに抵抗を与えつつ前記第２端面の側に前記流体の一部を通過させるセラミックスを主成分とする抵抗部を備え、
　
前記抵抗部は、前記軸方向における厚さが１〜３ｍｍの壁状の構造を有するとともに多数の細孔を有する多孔質体からなり、前記細孔が前記セルにおける前記抵抗部を設けられている箇所での前記流体の流路となる
　　【請求項３】
　前記抵抗部が設けられている各々の前記セルにおいて、前記セルを区画形成する前記隔壁の気孔率が、前記抵抗部を境に前記第１端面の側と前記第２端面の側とで異なる請求項１または２に記載のハニカム構造体。
　　【請求項４】
　前記軸方法に垂直な断面において、隣接する前記セルの間で断面積が異なっている請求項１〜３のいずれか一項に記載のハニカム構造体。
　　【請求項５】
　前記セルの前記第１端面の側を目封止する前記目封止部が、前記第１端面に露出せず前記セルの内部に設けられている請求項１〜４のいずれか一項に記載のハニカム構造体。
　　【請求項６】
　共に多孔質の隔壁と前記隔壁によって区画形成されて一方の端面から他方の端面に向かう軸方向に通じて流体の流路となる複数のセルとを有する第１のハニカム構造体および第２のハニカム構造体の前記端面同士を合わせて一体化して、接合ハニカム構造体を形成するハニカム構造体の製造方法であって、
　前記第１のハニカム構造体の前記端面のいずれか１つの前記端面における一部または全部の前記セルの端部に、前記流体の前記流路の流路断面積を小さくする
とともに貫通孔を有し且つ前記貫通孔の流路断面積が前記第１のハニカム構造体の前記セルの中央部に向けて連続的または断続的に増大する
　前記第１のハニカム構造体の前記抵抗部を設けた側の前記端面と、前記第２のハニカム構造体の前記端面とを合わせて互いの前記セルを連通させて、前記軸方向における中間部分に前記抵抗部を備える前記セルを有する前記接合ハニカム構造体を形成する接合工程と、
　前記接合ハニカム構造体における各々の前記セルが前記軸方向で少なくともいずれか一方の端部の側を目封止されるように、前記第１のハニカム構造体および前記第２のハニカム構造体の前記セルに目封止部を設ける目封止工程と、を有するハニカム構造体の製造方法。
　　【請求項７】
　前記抵抗部配設工程は、前記第１のハニカム構造体のいずれか１つの前記端面に一部または全部の前記セルの開口に対応するように開口したマスクを設け、そのマスクの上またはマスクの表面上と同一平面上に前記抵抗部材料を供給し、前記マスクの表面上にて、その表面に対して鋭角に配置されて前記抵抗部材料を加圧するための加圧面を有する加圧部材を移動させることにより、前記加圧面にて前記抵抗部材料を加圧して前記端面における前記セルの端部に前記抵抗部材料を充填し、次いで前記セルの端部に充填されている前記抵抗部材料が流動性を有する間に、前記抵抗部材料が充填されている前記セル内を陽圧または陰圧にして、前記セルの端部に充填されている前記抵抗部材料に前記セルの内部と前記セルの外部とを通じさせる貫通孔を形成する工程を有する請求項６に記載のハニカム構造体の製造方法。
　　【請求項８】
　抵抗部配設工程は、前記セルの端部に前記抵抗部材料を充填してから所定時間を経過後に、前記抵抗部材料が充填されている前記セル内を陰圧にして前記貫通孔を形成する請求項７に記載のハニカム構造体の製造方法。
　　【請求項９】
　共に多孔質の隔壁と前記隔壁によって区画形成されて一方の端面から他方の端面に向かう軸方向に通じて流体の流路となる複数のセルとを有する第１のハニカム構造体および第２のハニカム構造体の前記端面同士を合わせて一体化して、接合ハニカム構造体を形成するハニカム構造体の製造方法であって、
　前記第１のハニカム構造体の前記端面のいずれか１つの前記端面における一部または全部の前記セルの端部に、前記流体の前記流路の流路断面積を小さくする
とともに厚さ１〜３ｍｍの多孔質体である
　前記第１のハニカム構造体の前記抵抗部を設けた側の前記端面と、前記第２のハニカム構造体の前記端面とを合わせて互いの前記セルを連通させて、前記軸方向における中間部分に前記抵抗部を備える前記セルを有する前記接合ハニカム構造体を形成する接合工程と、
　前記接合ハニカム構造体における各々の前記セルが前記軸方向で少なくともいずれか一方の端部の側を目封止されるように、前記第１のハニカム構造体および前記第２のハニカム構造体の前記セルに目封止部を設ける目封止工程と、を有するハニカム構造体の製造方法。
　　【請求項１０】
　前記第１のハニカム構造体と前記第２のハニカム構造体とは、前記隔壁の気孔率が異なる請求項６〜９のいずれか一項に記載のハニカム構造体の製造方法。
　
　（１）本件補正の上記補正内容は、以下の「補正事項ａ」〜「補正事項ｄ」とみることができる。
　（補正事項ａ）補正前の請求項１，２を削除して、補正前の請求項１、２を順に引用する補正前の請求項３を独立形式とするとともに項番を繰り上げて、補正後の請求項１とする。
　（補正事項ｂ）補正前の請求項４を削除して、補正前の請求項１、４を順に引用する補正前の請求項５を独立形式とするとともに項番を繰り上げて、補正後の請求項２とする。
　（補正事項ｃ）補正前の請求項９に、「抵抗部」の形状として「貫通孔を有し且つ前記貫通孔の流路断面積が前記第１のハニカム構造体の前記セルの中央部に向けて連続的または断続的に増大する」という特定事項を付加して、補正後の請求項６とする。
　（補正事項ｄ）補正前の請求項９に、「抵抗部」の寸法と材質について「厚さ１〜３ｍｍの多孔質体である」という特定事項を付加して、補正後の請求項９とする。
　（２）上記補正事項ａ〜ｄの補正目的について判断する。
　ｉ）補正事項ａ、ｂについては、請求項の削除を目的とするものといえる。
　ｉｉ）補正事項ｃ、ｄについて、補正前の請求項９にそれぞれ別の特定事項を付加して、補正後の請求項６，９とされているから、補正前後の請求項の関係が一対一又はこれに準ずるような対応関係にない。
　すると、補正事項ｃ、ｄについては、補正後の請求項６，９の記載により特定される各発明が、全体として、補正前の請求項９の記載により特定される発明よりも限定されたものとなっているとしても、上記の対応関係がない限り、いわゆる特許請求の範囲の限定的減縮に該当せず、また、請求項の削除、誤記の訂正、明りょうでない記載の釈明の何れを目的とするものにも該当しない。
　ｉｉｉ）したがって、本件補正は、特許法第１７条の２第５項の規定に違反するので、同法第１５９条第１項において読み替えて準用する同法第５３条第１項の規定により却下すべきものである。 
　
第３　本願発明について
１．本願発明の認定
　平成２５年１１月１３日付け手続補正は前記「第２」のとおり却下されたので、本願の請求項１〜１２に係る発明は、平成２５年８月５日付け手続補正書により補正された特許請求の範囲の請求項１〜１２に記載される事項（上記「第２」の＜補正前＞の記載を参照。請求項の項番に従い「本願発明１」「本願発明２」のように記すことがあり、また、総称して「本願発明」と記すことがある。）によって特定されるとおりのものである。
　
２．原査定の理由の概要
　原査定の理由の概要は以下のようである。
  （理由１）本願発明１、２は、引用文献１により新規性が欠如しており、本願発明３に特別な技術的特徴が発見され、当該特別な技術的特徴と同一の又は対応する特別な技術的特徴を有する本願発明４〜８も審査対象とするが、本願発明３と、本願発明９〜１２との間に、同一の又は対応する特別な技術的特徴は存在しない。
　よって、本願発明３と本願発明９〜１２とは、発明の単一性の要件を満たす一群の発明に該当しないから、この出願は特許法第３７条に規定する要件を満たさない。
　（理由２）本願発明１、２、４は、引用文献１に記載された発明であるから、特許法第２９条第１項第３号に該当し、特許を受けることができない。
　（理由３）本願発明１〜５は引用文献１に記載された発明に基いて、本願発明６〜８は引用文献１、２に記載された発明に基いて、当業者が容易に発明をすることができたものであるから、特許法第２９条第２項の規定により特許を受けることができない。
　
引用文献１：特開２００９−６４７号公報
引用文献２：特開２００７−２８９９２６号公報
　
３．引用文献の記載
３−１．引用文献１（特開２００９−６４７号公報）
　（１−ア）「【請求項１】多孔質のセラミックスから構成され軸方向に貫通する多数のセルを区画する隔壁部と、多数の該セルのうち所定のセルの一方の端部に充填された一端封止材と多数の該セルのうち残余のセルの他方の端部の一部に充填された他端封止材とを有する封止材と、を有することを特徴とする排ガス浄化用フィルタ。」
　（１−イ）「【００１０】多数のセルのうちの幾つかについて貫通させた形態を採用することで隔壁部の目詰まりによる圧力損失の増大が抑制できる。図１に本発明の排ガス浄化用フィルタの模式図を示す。セルを貫通させたことにより排ガスの流れの大部分は隔壁部を通過せずにそのまま流れて行くが、セルの形状は細長いので排ガスの流れは乱流になりセルを区画する隔壁部に何度も衝突を繰り返す。その結果、排ガス中に含まれるＰＭはセル内部を流れるうちにセルの隔壁部に概ね捕集されることになる（図１（ｂ））。」
　（１−ウ）「【００２３】一端封止材は隔壁部が区画する多数のセルのうちの所定のセルの一端部に充填された部材である。所定のセルとしては特に限定しないが、一端側から見たときに所定のセルと残余のセルとが交互に配列（多数のセルが四角柱の集合である場合には市松模様状となるように）することが望ましい（図１（ａ））。
【００２４】ここで、一端側とは排ガスが流入する入り口側とすることが効果的であり望ましいが反対に排気ガスが流出する出口側にすることを排除するものではない。
【００２５】他端封止材は多数のセルのうちの残余のセルにおける他方の端部の一部に充填された部材である。つまり、残余のセルは一部に他端封止材が充填されており残部が開放状態にある。他端封止材は１つのセルをそのまま充填するような形態のほか、１つのセルの断面の一部を封止する形態にすることもできる。他端封止材は他端における端部に配設する形態のほか、他端の端部からセルの内部に進入した（離れた）部分に配設することもできる。また、残余のセルの軸方向に複数個の他端封止材を配設することもできる。１つのセルを２以上の他端封止材にて封止する場合には、複数の他端封止材の一部にてそのセルの断面の一部を封止する形態とし、残部にてそのセルの断面全部を封止する形態とすることもできる。」
　（１−エ）「【００２９】本実施形態の排ガス浄化用フィルタの製造方法は、特に限定されるものではないが、例えば、以下の製造方法で製造することができる。
【００３０】まず、隔壁部によって軸方向にセルが区画された角柱状のセラミックス分体を従来公知の製造方法で製造する。そして、焼成したときにセラミックス分体を構成するセラミックスを主成分とするセラミックスを形成できるスラリーを調製し、このスラリーをセラミックス分体の接合体のセルの端部に注入し封止材とする。このスラリーの注入は、一端が市松模様をなすようになされ（一端封止材）、他端では一端封止材が充填された以外の残余のセルのうちの所定のセルについてスラリーが充填される（他端封止材）。スラリーの注入はセラミックス分体を製造するのと同時に行うことも可能である。
【００３１】その後、スラリーを加熱焼成して、封止材を形成した。その後、ＳｉＣなどの接合材を用いて複数の目封じされたセラミックス分体を接合し、加熱焼成する。つづいて、焼成体の周方向の外周面を切削等の手段で成形する。所定の触媒金属を含有する溶液に形成した
排ガス浄化用フィルタを浸漬した後、還元などを行うことで触媒金属を担持する。これにより、本発明のセラミックスハニカム構造体を製造できる。」　
３−２．引用文献２（特開２００７−２８９９２６号公報）
　（２−ア）「【００３２】本発明のハニカム構造体をハニカム触媒体の触媒担体として使用すれば、排ガスが隔壁を複数回通過する構造を有するため、排ガスと触媒層との接触効率が向上するとともに、その接触効率の向上により触媒（貴金属）使用量の低減が可能となり、更に触媒寿命も向上する。また、本発明のハニカム触媒体は、前記のようなハニカム構造体をその触媒担体として使用しているため、排ガスと触媒層との接触効率が高く、触媒（貴金属）使用量が少なくても高い浄化効果を発揮し、更に触媒としての寿命が長い。」
　（２−イ）「【００５７】図１３に示す実施形態は、前記図１に示す実施形態と同様に目封止部１０が配置されたものであるが、目封止部１０が、セル３の長さ方向に貫通する貫通孔１３を有している。目封止部１０の少なくとも一部に、このような貫通孔１３を設けると、圧力損失が低下し、セル３内の流体の流れがスムーズになる。この場合、貫通孔１３の断面積は、セル３の断面積の３０〜９０％とすることが好ましい。３０％未満では圧力損失を低下する効果に乏しく、一方、９０％を超えると目封止部１０が目封止の機能をほとんど果たさなくなるので、隔壁４を通過する流体の量が減少する。」
　（２−ウ）【図面の簡単な説明】（【0148】）に「本発明に係るハニカム構造体の実施形態の例を示す概略断面図」と題された【図１３】には、以下の図が示されている。
　
　
４．本願発明１について
４−１．引用発明の認定
　引用文献１の記載から引用発明を認定する。
　ｉ）（１−ア）から、引用文献１には「多孔質のセラミックスから構成され軸方向に貫通する多数のセルを区画する隔壁部と、多数の該セルのうち所定のセルの一方の端部に充填された一端封止材と多数の該セルのうち残余のセルの他方の端部の一部に充填された他端封止材とを有する封止材と、を有する排ガス浄化用フィルタ。」についての発明が記載されているといえる。
　ｉｉ）上記「排ガス浄化用フィルタ」の「多孔質のセラミックスから構成され軸方向に貫通する多数のセルを区画する隔壁部と、」は、「セル」に着目して記載ぶりを変えれば「多孔質のセラミックスからなる隔壁部と、当該隔壁部により区画され軸方向に貫通する多数のセルと、」と表現することができる。
　ｉｉｉ）（１−イ）には「多数のセルのうちの幾つかについて貫通させた形態を採用することで隔壁部の目詰まりによる圧力損失の増大が抑制できる。」と記載され、上記「排ガス浄化用フィルタ」は「隔壁部の目詰まりによる圧力損失の増大が抑制」されるように「多数のセルのうちの幾つかについて貫通させた形態」とすることを必須とするものであるといえる。
　そして、（１−ウ）には「一端封止材は隔壁部が区画する多数のセルのうちの所定のセルの一端部に充填された部材である。所定のセルとしては特に限定しないが、一端側から見たときに所定のセルと残余のセルとが交互に配列・・・することが望ましい」と記載され、「残余のセルは一部に他端封止材が充填されており残部が開放状態にある」とも記載されるから、上記「排ガス浄化用フィルタ」は、「幾つか」の両端を封止しない「貫通させた形態」の「セル」と、「一端部に充填」された「所定のセル」と、「他端」に「充填」された「残余のセル」と、を有するといえる。
　すると、上記「排ガス浄化用フィルタ」の「多数の該セルのうち所定のセルの一方の端部に充填された一端封止材と多数の該セルのうち残余のセルの他方の端部の一部に充填された他端封止材とを有する封止材と、を有する」は、「多数の該セルのうち、幾つかについて両端を封止しない貫通させた形態であり、所定のセルの一方の端部に充填された一端封止材と、多数の該セルのうち残余のセルの他方の端部に充填された他端封止材とを有する封止材と、を有する」ということができる。
　ｉｖ）さらに（１−ウ）には次のａ）〜ｄ）が記載されている。
　ａ）「他端封止材は１つのセルをそのまま充填するような形態のほか、１つのセルの断面の一部を封止する形態にすることもできる」
　ｂ）「他端封止材は・・・他端の端部からセルの内部に進入した（離れた）部分に配設することもできる」
　ｃ）「セルの軸方向に複数個の他端封止材を配設することもできる」
　ｄ）「１つのセルを２以上の他端封止材にて封止する場合には、複数の他端封止材の一部にてそのセルの断面の一部を封止する形態とし、残部にてそのセルの断面全部を封止する形態とすることもできる」
　上記ａ）〜ｄ）のことから、上記「排ガス浄化用フィルタ」の「他端封止材」の設けられている一部の「セル」において、「セル」の「他端の端部」と、「セル」の「他端の端部からセルの内部に進入した（離れた）部分」に配設され、一方を「セルの断面の一部を封止する形態」とし、他方を「セルの断面全部を封止する形態」となるような「他端封止材」による封止の形態とされているといえる。
　ｖ）（１−ウ）には「一端側とは排ガスが流入する入り口側とすることが効果的であり望ましい」と記載され、「セル」内へは「一端側」である「一方の端部」から「他方の端部」へ向かって排ガスが流れるものといえる。
　ｖｉ）（１−エ）には「焼成したときにセラミックス分体を構成するセラミックスを主成分とするセラミックスを形成できるスラリーを調製し、このスラリーをセラミックス分体の接合体のセルの端部に注入し封止材とする。」と記載されるから、「封止材」の材質は「セラミックス」を主成分とするものといえる。
　ｖｉｉ）（１−エ）に「所定の触媒金属を含有する溶液に形成した排ガス浄化用フィルタを浸漬した後、還元などを行うことで触媒金属を担持する。これにより、本発明のセラミックスハニカム構造体を製造できる。」と記載されており、「排ガス浄化用フィルタ」は「セラミックスハニカム構造体」であるといえる。
　ｖｉｉｉ）以上の検討内容を本願発明１の記載に沿って整理すると、引用文献１には、
「多孔質のセラミックスからなる隔壁部と、当該隔壁部により区画され軸方向に貫通する多数のセルと、多数の該セルのうち、幾つかについて両端を封止しない貫通させた形態であり、所定のセルの一方の端部に充填された一端封止材と、多数の該セルのうち残余のセルの他方の端部の一部に充填された他端封止材とを有する封止材と、を有するセラミックスハニカム構造体であって、
　他端封止材の設けられているセルにおいて、セルの他端の端部と、セルの他端の端部からセルの内部に進入した（離れた）部分に配設される他端封止材を設け、セル内に一方の端部から他方の端部へ向かって排ガスが流れるときに、一方をセルの断面の一部を封止する形態とし、他方をセルの断面全部を封止するような形態とし、両封止材はセラミックスを主成分とするセラミックスハニカム構造体。」（以下、「引用発明」という。）の発明が記載されていると認められる。
　
４−２．本願発明１と引用発明との対比
　ｉ）引用発明の「多孔質のセラミックスからなる隔壁部」は、本願発明１の「多孔質の隔壁」に相当する。
　ｉｉ）引用発明の「セル」の「一方の端部」「一端」、「セル」の「他方の端部」「他端」は、本願発明１のそれぞれ「セル」の「第１端面」、「セル」の「第２端面」に相当する。
　ｉｉｉ）引用発明の「当該隔壁部により区画され軸方向に貫通する多数のセル」は、本願発明１の「前記隔壁によって区画形成されて第１端面から第２端面への軸方向に通じる流体の流路となる複数のセル」に相当する。
　ｉｖ）引用発明の「所定のセルの一方の端部に充填された一端封止材と、多数の該セルのうち残余のセルの他方の端部の一部に充填された他端封止材とを有する封止材と、を有する」は、本願発明１の「各々の前記セルの前記第１端面の側または前記第２端面の側」を「目封止する目封止部とを有する」ことに相当する。
　ｖ）引用発明の「セラミックスハニカム構造体」は、本願発明１の「ハニカム構造体」に相当する。
　ｖｉ）引用発明の「他端封止材の設けられている一部のセルにおいて、セルの他端の端部と、セルの他端の端部からセルの内部に進入した（離れた）部分に配設され、」は、本願発明１の「前記第２端面の側に前記目封止部を設けられている前記セルの一部または全部において前記セルの前記軸方向での中間部分に設けられて、」に相当する。
　ｖｉｉ）引用発明の「セル内に一方の端部から他方の端部へ向かって排ガスが流れる」ときに、「他端の端部」と「他端の端部からセルの内部に進入した（離れた）部分」とにセラミックスを主成分とする「封止材」を、「一方をセルの断面の一部を封止する形態とし、他方をセルの断面全部を封止するような形態」として付与することは、
　引用発明が、「他端の端部」を「セルの断面全部を封止するような形態」とし、「他端の端部からセルの内部に進入した（離れた）部分」を「一方をセルの断面の一部を封止する形態」とすることを含むことから、
　本願発明１の「前記セル内に前記第１端面から前記第２端面の方向へ前記流体を流すとき」に、「第２端面」と「前記セルの前記軸方向での中間部分」に「前記第２端面の方向に向かう前記流体の流れに抵抗を与えつつ前記第２端面の側に前記流体の一部を通過」させるセラミックスを主成分とする「封止材」を付与することに相当する。
　ｖｉｉｉ）以上から、本願発明１と引用発明とは、
「多孔質の隔壁と、前記隔壁によって区画形成されて第１端面から第２端面への軸方向に通じる流体の流路となる複数のセルと、一部の各々の前記セルの前記第１端面の側または前記第２端面の側を目封止する目封止部とを有するハニカム構造体であって、
　前記第２端面の側に前記目封止部を設けられている前記セルの一部または全部において前記セルの前記軸方向での中間部分に設けられて、
　前記セル内に前記第１端面から前記第２端面の方向へ前記流体を流すときに前記第２端面の方向に向かう前記流体の流れに抵抗を与えつつ前記第２端面の側に前記流体の一部を通過させるセラミックスを主成分とする封止材を付与するハニカム構造体」である点で一致し、
次の点で相違する。
　
　（相違点）「セル」の両端面の封止について、本願発明１は「少なくともいずれか」を封止した「セル」とするのに対して、引用発明は「両端を封止しない貫通させた形態」の「セル」を有する点。
　
４−３．相違点の検討
　ｉ）引用文献１の（１−イ）には「多数のセルのうちの幾つかについて貫通させた形態を採用することで隔壁部の目詰まりによる圧力損失の増大が抑制できる。・・・セルを貫通させたことにより排ガスの流れの大部分は隔壁部を通過せずにそのまま流れて行くが、セルの形状は細長いので排ガスの流れは乱流になりセルを区画する隔壁部に何度も衝突を繰り返す。その結果、排ガス中に含まれるＰＭはセル内部を流れるうちにセルの隔壁部に概ね捕集されることになる」と記載されており、引用発明は「隔壁部の目詰まりによる圧力損失の増大が抑制」されるように「多数のセルのうちの幾つかについて貫通させた形態」とするものであるといえる。
　ｉｉ）ここで、引用文献２に記載された技術についてみると、同文献には、ハニカム構造体について示されており、（２−ウ）の【図１３】の開示から、中間部分に「貫通孔１３」を設けた「目封止部１０」を有する「セル」と、両端に「貫通孔１３」を設けた「目封止部１０」を有する「セル」と、を有する構造のハニカム構造体がみてとれ、当該構造のハニカム構造体により、（２−ア）から、「排ガスが隔壁を複数回通過する構造を有するため、排ガスと触媒層との接触効率が向上するとともに、その接触効率の向上により触媒（貴金属）使用量の低減が可能となり、更に触媒寿命も向上する」こと、また、（２−イ）から、当該構造により「圧力損失が低下し、セル３内の流体の流れがスムーズにな」ること、が示されている。
　しかしながら、上記構造のハニカム構造体では、事実上「セル」は全てが「貫通させた形態」となっているから、引用発明に引用文献２に記載の技術手段を適用できても、この点で上記相違点に係る本願発明１の特定事項に想到し得るものではない。
　
４−４．本願発明１についての結言
　以上から、本願発明１は、引用文献１に記載された発明ではなく、また、引用文献１に記載された発明及び引用文献２に記載の技術手段に基づいて当業者が容易に想到し得たものであるともいうことはできない。
　
５．本願発明２−８について
　本願発明２〜８は、いずれも結果的に請求項１の記載を引用し、本願発明１の特定事項を有しているので、本願発明１と同様に、引用文献１に記載された発明ではなく、また、引用文献１に記載された発明及び引用文献２に記載の技術手段に基づいて当業者が容易に想到し得たものであるともいうことはできない。
　
６．本願発明９〜１２について
　以下で、本願発明９〜１２について、原審で審査していない新規性・進歩性の要件をみておく。
　
６−１．本願発明９について
　本願発明９は、本願発明１の「ハニカム構造体」の製造方法についての発明であり、「前記接合ハニカム構造体における各々の前記セルが前記軸方向で少なくともいずれか一方の端部の側を目封止されるように、前記第１のハニカム構造体および前記第２のハニカム構造体の前記セルに目封止部を設ける目封止工程」を有することにより、上記「４−３．」で検討した「両端を封止しない貫通させた形態」の「セル」を有さないようにするものであり、この点は引用発明の製造方法について記載された引用文献１の（１−エ）にも記載も示唆も無い。
　以上から、本願発明９は、引用文献１に記載された発明ではなく、また、、引用文献１に記載された発明及び引用文献２に記載の技術手段に基づいて当業者が容易に想到し得たものであるということはできない。
　
６−２．本願発明１０〜１２について
　本願発明１０〜１２は、いずれも結果的に請求項９の記載を引用し、本願発明９の特定事項を有しているので、本願発明９と同様に、引用文献１に記載された発明ではなく、また、引用文献１に記載された発明及び引用文献２に記載の技術手段に基づいて当業者が容易に想到し得たものであるともいうことはできない。
　
７．発明の単一性について　
　上記のように本願発明１は新規性進歩性を有し、本願発明９〜１２は本願発明１の特別な技術的特徴と同一の又は対応する特別な技術的特徴を有するから、本願発明９〜１２も発明の単一性の要件を満たす一群の発明に該当する。　
　
８．むすび
　以上のとおりであるから、本願については、原査定の拒絶理由を検討しても、その理由によって拒絶すべきものとすることはできない。
　また、他に本願を拒絶すべき理由を発見しない。
　よって、結論のとおり審決する。